(57)【要約】      （修正有）【課題】屋根上に少なくとも横方向や縦方向に配置される配管を支持可能な配管支持具又は配管を瓦上の適宜の位置に固定できる配管固定台座を提供する。【解決手段】建物の屋根上に配置される配管を支持可能な配管支持具又は配管を、屋根の下地上に設置されたスレート瓦（瓦）上に固定するための台座であって、上方側に配管支持具又は配管３を固定可能な連結板１１と、連結板１１の前端部及び後端部にそれぞれ下方側へ突出するように設けられた前脚板１２及び後脚板１３と、前脚板１２の下端部に前方側へ延びるように設けられかつスレート瓦上に載置される介在板１４と、介在板１４の前端部近傍に下方側へ突出するように設けられかつスレート瓦の上端部に引っ掛けられる引掛部１５と、後脚板１３の下端部に後方側へ突出するように設けられかつスレート瓦上に載置される突出板１６、を備えた。【選択図】図２
2012241870.tif 000002
【特許請求の範囲】
【請求項１】
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備えたことを特徴とする配管固定台座。
【請求項２】
前記連結板に、前記配管支持具を装着するための貫通孔を設けた請求項１に記載の配管固定台座。
【請求項３】
前記貫通孔の周囲に、下方側へ突出して周方向に延びかつ内方に前記配管支持具を嵌入可能な突出部を設けた請求項２に記載の配管固定台座。
【請求項４】
前記前脚板及び前記後脚板が、外側に前記配管支持具又は前記配管を固定可能である請求項１から３のいずれかに記載の配管固定台座。
【請求項５】
前記前脚板及び前記後脚板を、前記瓦上に設置された状態で面方向が鉛直方向に対して略平行となるように、前記連結板の面方向に対して後方側に傾斜させた請求項４に記載の配管固定台座。
【請求項６】
前記前脚板と前記後脚板の少なくともいずれか一方に、前記配管支持具を装着するための貫通孔を設けた請求項４又は５に記載の配管固定台座。
【請求項７】
前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けた請求項４から６のいずれかに記載の配管固定台座。
【請求項８】
前記側部連結板に、前記配管支持具を装着するための貫通孔を設けた請求項７に記載の配管固定台座。
【請求項９】
前記貫通孔の周囲に、内側へ突出して周方向に延びかつ内方に前記配管支持具を嵌入可能な突出部を設けた請求項６又は８に記載の配管固定台座。
【発明の詳細な説明】
【技術分野】
【０００１】
本発明は、建物の屋根上に設置される太陽電池パネルの配線配管、太陽熱温水器の熱媒体配管等の配管を支持可能な配管支持具又は配管を、屋根の下地上に設置された瓦上に固定するための台座に関するものである。
【背景技術】
【０００２】
周知のように、近年では、太陽光のエネルギーを有効に利用するために、太陽光発電用の太陽電池パネルや、太陽熱温水器等を建物の屋根上に設置すること（例えば、特許文献１参照。）が増えてきている。そして、屋根の下地上に設置された瓦上に太陽電池パネルや太陽熱温水器等を設置する場合、それらの配線配管や熱媒体配管等の配管は、太陽電池パネルや太陽熱温水器等を前記瓦上に固定するための固定金具に針金で係止することが多い。
【０００３】
一方、屋根上に横方向に配置される配線を係止可能な配線係止部を設けた配線保持具（例えば、特許文献２参照。）も提案されている。
【先行技術文献】
【特許文献】
【０００４】
【特許文献１】特開２００２−８１７６５号公報（図１、等）
【特許文献２】特開２００５−２６４６４０号公報（請求項１、図１〜図４、等）
【発明の開示】
【発明が解決しようとする課題】
【０００５】
しかし、上記のような固定金具に配管を係止する場合には、配管の係止位置が太陽電池パネルや太陽熱温水器等の近傍に限定され、配管を前記瓦上の適宜の位置に係止できないという問題点がある。
【０００６】
また、上記のような配線保持具においては、屋根上に横方向に配置される配線を係止できるものの、縦方向に配置される配線を係止できないという問題点がある。
【０００７】
本発明は、以上のような事情や問題点に鑑みてなされたものであり、屋根上に少なくとも横方向や縦方向に配置される配管を支持可能な配管支持具又は配管を前記瓦上の適宜の位置に固定できる配管固定台座を提供することを目的とする。
【課題を解決するための手段】
【０００８】
上記目的を達成するための第１の発明は、建物の屋根上に配置される配管を支持可能な配管支持具又は前記配管を、前記屋根の下地上に設置された瓦上に固定するための台座であって、上方側に前記配管支持具又は前記配管を固定可能な連結板と、前記連結板の前端部及び後端部にそれぞれ下方側へ突出するように設けられた前脚板及び後脚板と、前記前脚板の下端部に前方側へ延びるように設けられかつ前記瓦上に載置される介在板と、前記介在板の前端部近傍に下方側へ突出するように設けられかつ前記瓦の上端部に引っ掛けられる引掛部と、前記後脚板の下端部に後方側へ突出するように設けられかつ前記瓦上に載置される突出板、を備えたものである。
【０００９】
第２の発明は、前記連結板に、前記配管支持具を装着するための貫通孔を設けたものである。
【００１０】
第３の発明は、前記貫通孔の周囲に、下方側へ突出して周方向に延びかつ内方に前記配管支持具を嵌入可能な突出部を設けたものである。
【００１１】
第４の発明においては、前記前脚板及び前記後脚板が、外側に前記配管支持具又は前記配管を固定可能である。
【００１２】
第５の発明は、前記前脚板及び前記後脚板を、前記瓦上に設置された状態で面方向が鉛直方向に対して略平行となるように、前記連結板の面方向に対して後方側に傾斜させたものである。
【００１３】
第６の発明は、前記前脚板と前記後脚板の少なくともいずれか一方に、前記配管支持具を装着するための貫通孔を設けたものである。
【００１４】
第７の発明は、前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けたものである。
【００１５】
第８の発明は、前記側部連結板に、前記配管支持具を装着するための貫通孔を設けたものである。
【００１６】
第９の発明は、前記貫通孔の周囲に、内側へ突出して周方向に延びかつ内方に前記配管支持具を嵌入可能な突出部を設けたものである。
【発明の効果】
【００１７】
第１の発明によれば、瓦上の適宜の位置に設置できるので、屋根上に横方向、縦方向、又は斜め方向に配置される配管を支持可能な配管支持具又は配管を瓦上の適宜の位置に固定することができる。
【００１８】
第２の発明によれば、連結板の貫通孔に配管支持具を装着できるので、配管支持具を連結板に簡単に固定することができる。
【００１９】
第３及び第９の発明によれば、貫通孔の周囲の突出部により、配管支持具を貫通孔に装着した場合のガタつきを防止することができる。
【００２０】
第４の発明によれば、屋根上に横方向に配置される配管を支持可能な配管支持具又はその配管を、連結板の上方側に固定する場合よりも低い位置で固定することができる。
【００２１】
第５の発明によれば、瓦上に設置した際に配管をより安定した状態で固定することができる。
【００２２】
第６及び第８の発明によれば、貫通孔に配管支持具を装着できるので、配管支持具を前脚板、後脚板、又は側部連結板に簡単に固定することができる。
【００２３】
第７の発明によれば、側部連結板により強度を向上でき、屋根上に縦方向に配置される配管を支持可能な配管支持具又はその配管を、側部連結板の外側でも固定できると共に、連結板の上方側に固定する場合よりも低い位置で固定することができる。
【図面の簡単な説明】
【００２４】
【図１】第１実施形態に係る配管固定台座の平面図である。
【図２】図１のＡ−Ａ線断面図である。
【図３】配管固定台座の使用状態を示す概略断面図である。
【図４】屋根上に横方向に配置される配管を配管支持具で支持する態様を示す要部拡大断面図である。
【図５】図４の左斜め上方向から見た要部拡大平面図である。
【図６】屋根上に縦方向に配置される配管を配管支持具で支持する態様を示す要部拡大断面図である。
【図７】図６の左斜め上方向から見た要部拡大平面図である。
【図８】第２実施形態に係る配管固定台座の右側面図である。
【図９】図８の平面図である。
【図１０】屋根上に横方向に配置される配管を、連結板に固定した配管支持具で支持する態様を示す要部拡大断面図である。
【図１１】屋根上に縦方向に配置される配管を、連結板に固定した配管支持具で支持する態様を示す要部拡大断面図である。
【図１２】屋根上に縦方向に配置される配管を、側部連結板に固定した配管支持具で支持する態様を示す要部拡大断面図である。
【図１３】屋根上に横方向に配置される配管を、後脚板に固定した配管支持具で支持する態様を示す要部拡大断面図である。
【発明を実施するための形態】
【００２５】
以下、本発明の実施形態を図面に基づいて説明する。
第１実施形態に係る配管固定台座１は、図１〜図７に示すように、建物の屋根２上に配置される配管３を支持可能な配管支持具４又は配管３を、屋根２の下地５上に設置されたスレート瓦（瓦）６上に固定するための台座であって、連結板１１、前脚板１２、後脚板１３、介在板１４、引掛部１５、及び突出板１６を備えている。
【００２６】
前脚板１２及び後脚板１３は、連結板１１の前端部及び後端部にそれぞれ下方側へ突出するように設けられている。介在板１４は、前脚板１２の下端部に前方側へ延びるように設けられており、スレート瓦６上に載置される。突出板１６は、後脚板１３の下端部に後方側へ突出するように設けられており、スレート瓦６上に載置される。
【００２７】
引掛部１５は、介在板１４の前端部近傍に、前方側から後方側に向かって下るように切り起こすことにより、下方側へ突出するように設けられており、スレート瓦６の上端部に引っ掛けられる。なお、引掛部１５は、介在板１４の前端部近傍に、介在板１４の面方向に対して垂直下方にかつ前方側から後方側に向かって又は後方側から前方側に向かって切り起こすこと等により、下方側へ突出するように設けてもよい。
【００２８】
連結板１１には、配管支持具４を装着するための貫通孔２１が設けられている。連結板１１の貫通孔２１の周囲には、バーリング加工等により、下方側へ突出して周方向に延びかつ内方に配管支持具４を嵌入可能な突出部２２が設けられている。
【００２９】
配管固定台座１の材質としては、ガルバリウム鋼板（例えば商品名「耐摩カラーＧＬ」）、溶融亜鉛めっき鋼板（例えば商品名「耐摩カラー」）等の塗装鋼板等が挙げられる。配管固定台座１を構成する塗装鋼板等の厚さは、特に限定されるものではないが、例えば０．８〜１ｍｍ程度に形成することができる。
【００３０】
配管３としては、屋根２上に設置される太陽光発電用の太陽電池パネルの配線配管、屋根２上に設置される太陽熱温水器の熱媒体配管等が挙げられる。
【００３１】
次に、配管固定台座１の使用方法について説明する。
配管固定台座１の使用に際しては、図３に示すように、屋根２の下地５上に設置された所定位置のスレート瓦６の上端部に引掛部１５を引っ掛け、かつ、長さ方向が縦方向（屋根２の傾斜方向。以下同じ。）に沿うようにして、そのスレート瓦６上に配管固定台座１を設置する。上方側のスレート瓦６は、介在板１４の上から屋根２の下地５上に設置すればよい。
【００３２】
屋根２の下地５の構成は、特に限定されるものではないが、例えば、垂木（図示せず）上に張られた野地板２３、及び野地板２３上に敷設された防水シート２４等で構成することができる。
【００３３】
上記のようにして配管固定台座１をスレート瓦６上に設置した状態においては、図４及び図６に示すように、連結板１１が前脚板１２及び後脚板１３により支持されている。そのため、図４〜図７に示すように、連結板１１の上方側には、配管支持具４をその向きを適宜に変えて固定することができる。
【００３４】
配管支持具４の構成や材質は、特に限定されるものではなく、従来から公知の各種のものを採用できるが、例えば、図４〜図７のような台部３１、支持部３２、２つのリップ部３３、４つの挿入部３４、及び４つの係止部３５を備えたプラスチック製のものを採用することができる。
【００３５】
台部３１は、円柱状に形成されている。支持部３２は、弾性力に抗して内方に配管３を挿入できるように、上部が開口した円筒状でかつ正面視形状がＣ字状に形成されており、台部３１の上部に設けられている。支持部３２の２つの上端部には、配管３を支持部３２の内方にスムーズに挿入するためのリップ部３３がそれぞれ外側へ開くように設けられている。挿入部３４は、断面形状が四半円状に形成されており、台部３１の下部に周方向に互いに間隔を開けて突設されている。係止部３５は、挿入部３４の下端部に外側へ突出するように設けられている。係止部３５の周面下縁部は、面取りされている。
【００３６】
上記のように構成された配管支持具４を連結板１１の上方側に固定するには、図４に示すように、台部３１が連結板１１に当接しかつ係止部３５が連結板１１の突出部２２に係止されるように、４つの挿入部３４をそれらの弾性力に抗して内方にたわませた状態で連結板１１の貫通孔２１に挿入することにより、配管支持具４を貫通孔２１に装着すればよい。
【００３７】
なお、連結板１１に貫通孔２１を設けない場合には、従来から公知の適宜の配管支持具４を連結板１１の上方側にビス等により固定してもよい。
【００３８】
ここで、図４及び図５に示すように、支持部３２の幅方向が横方向（屋根２の傾斜方向と直交する方向。以下同じ。）に沿うようにして配管支持具４を連結板１１の上方側に固定すれば、屋根２上に横方向に配置される配管３を配管支持具４で支持することができる。
【００３９】
一方、図６及び図７に示すように、支持部３２の幅方向が縦方向に沿うようにして配管支持具４を連結板１１の上方側に固定すれば、屋根２上に縦方向に配置される配管３を配管支持具４で支持することができる。
【００４０】
また、図示しないが、支持部３２の幅方向が斜め方向に沿うようにして配管支持具４を連結板１１の上方側に固定すれば、屋根２上に斜め方向に配置される配管３を配管支持具４で支持することができる。
【００４１】
一方、配管支持具４を使用しない場合には、屋根２上に縦方向、横方向、又は斜め方向に配置される配管３と連結板１１を、針金や結束バンド等の結束部材で結束すること等により、連結板１１の上方側に配管３を直に固定することもできる。
【００４２】
以上のように構成された配管固定台座１によれば、スレート瓦６上の適宜の位置に設置できるので、屋根２上に横方向、縦方向、又は斜め方向に配置される配管３を支持可能な配管支持具４又は配管３をスレート瓦６上の適宜の位置に固定できるという利点がある。
【００４３】
更に、連結板１１に貫通孔２１を設けておけば、その貫通孔２１に配管支持具４を装着できるので、配管支持具４を連結板１１に簡単に固定できるという利点がある。加えて、貫通孔２１の周囲に、内方に配管支持具４を嵌入可能な突出部２２を設けておけば、配管支持具４を貫通孔２１に装着した場合のガタつきを防止できるという利点がある。
【００４４】
第２実施形態に係る配管固定台座４１は、図８〜図１３に示すように、第１実施形態と同様の配管支持具４を、屋根２の下地５上に設置された和瓦（瓦）４６上に固定するための台座であって、第１実施形態において、前脚板１２及び後脚板１３が、外側に配管支持具４又は配管３を固定可能であり、前脚板１２及び後脚板１３を、和瓦４６上に設置された状態で面方向が鉛直方向に対して略平行となるように、連結板１１の面方向に対して後方側に傾斜させると共に、連結板１１の右側端部に、下方側へ突出しかつ前脚板１２の側端部と後脚板１３の側端部を連結するように、外側に配管支持具４又は配管３を固定可能な側部連結板５１を設けたものである。
【００４５】
介在板１４の幅は、図９に示すように、連結板１１、前脚板１２の下部以外の部分、後脚板１３、及び突出板１６の幅より大きく形成されている。前脚板１２の下部の幅は、図８及び図９に示すように、介在板１４の幅と同じ寸法に形成されているが、連結板１１、後脚板１３、及び突出板１６の幅と同じ寸法に形成してもよい。このように、介在板１４の幅を連結板１１、前脚板１２、後脚板１３、及び突出板１６の少なくともいずれかの幅より大きく形成しておけば、和瓦４６等の瓦の上に配管固定台座４１をより安定した状態で設置することができる。
【００４６】
連結板１１と同様、後脚板１３や側部連結板５１には、配管支持具４を装着するための貫通孔２１が設けられている。また、後脚板１３の貫通孔２１の周囲や側部連結板５１の貫通孔２１の周囲には、内側へ突出して周方向に延びかつ内方に配管支持具４を嵌入可能な突出部２２がそれぞれ設けられている。
【００４７】
なお、側部連結板５１は、連結板１１の右側端部と左側端部の少なくともいずれか一方に、下方側へ突出しかつ前脚板１２の側端部と後脚板１３の側端部を連結するように設けることができる。また、連結板１１からの側部連結板５１の突出寸法は、必要に応じて適宜変更可能である。
【００４８】
次に、配管固定台座４１の使用方法について説明する。
配管固定台座４１の使用に際しては、図１０に示すように、屋根２の下地５上に設置された所定位置の和瓦４６の谷部４６ａにおける上端部に引掛部１５を引っ掛け、かつ、長さ方向が縦方向に沿うようにして、その和瓦４６上に配管固定台座４１を設置する。上方側の和瓦４６は、介在板１４の上から介在板１４を押さえ付ける等して屋根２の下地５上に設置すればよい。
【００４９】
なお、介在板１４は、上方側の和瓦４６を無理なく設置できるように、図１０のような状態にあらかじめ折曲しておいてもよい。和瓦４６の葺き方も、特に限定されるものではないが、例えば、屋根２の下地５上に横方向に固定された瓦桟５２に和瓦４６の上端部を引っ掛けるようにして設置することができる。配管固定台座４１は、所定位置の和瓦４６の山部４６ｂにおける上端部に引掛部１５を引っ掛けるようにして設置してもよい。瓦は、和瓦４６に限定されるものではなく、平瓦、スレート瓦、洋瓦等であってもよい。
【００５０】
ここで、図１０に示すように、支持部３２の幅方向が横方向に沿うようにして配管支持具４を連結板１１の上方側に固定すれば、屋根２上に横方向に配置される配管３を配管支持具４で支持することができる。
【００５１】
一方、図１１に示すように、支持部３２の幅方向が縦方向に沿うようにして配管支持具４を連結板１１の上方側に固定すれば、屋根２上に縦方向に配置される配管３を配管支持具４で支持することができる。
【００５２】
同様に、図１２に示すように、支持部３２の幅方向が縦方向に沿うようにして配管支持具４を側部連結板５１の外側に固定すれば、屋根２上に縦方向に配置される配管３を配管支持具４で支持することができる。
【００５３】
また、図１３に示すように、支持部３２の幅方向が横方向に沿うようにして配管支持具４を後脚板１３の外側に固定すれば、屋根２上に横方向に配置される配管３を配管支持具４で支持することができる。
【００５４】
なお、介在板１４をより長く形成しておき、支持部３２の幅方向が横方向に沿うようにして配管支持具４を前脚板１２の外側に固定することにより、屋根２上に横方向に配置される配管３を配管支持具４で支持できるようにしてもよい。この場合、連結板１１、後脚板１３、側部連結板５１と同様、前脚板１２に貫通孔２１や突出部２２を設けておき、その貫通孔２１に配管支持具４を装着できるようにしてもよい。後脚板１３、側部連結板５１、前脚板１２への配管支持具４の固定位置や貫通孔２１及び突出部２２の形成位置は、必要に応じて適宜変更可能である。
【００５５】
このように、後脚板１３、側部連結板５１、前脚板１２に貫通孔２１を設けておけば、連結板１１の場合と同様、その貫通孔２１に配管支持具４を装着できるので、配管支持具４を後脚板１３、側部連結板５１、前脚板１２に簡単に固定できるという利点がある。また、後脚板１３の貫通孔２１の周囲、側部連結板５１の貫通孔２１の周囲、前脚板１２の貫通孔２１の周囲に、内側へ突出して周方向に延びかつ内方に配管支持具４を嵌入可能な突出部２２をそれぞれ設けておけば、配管支持具４を貫通孔２１に装着した場合のガタつきを防止できるという利点がある。
【００５６】
また、図示しないが、第１実施形態と同様、支持部３２の幅方向が斜め方向に沿うようにして配管支持具４を連結板１１の上方側に固定すれば、屋根２上に斜め方向に配置される配管３を配管支持具４で支持することができる。
【００５７】
一方、配管支持具４を使用しない場合には、屋根２上に縦方向、横方向、又は斜め方向に配置される配管３と連結板１１を、針金や結束バンド等の結束部材で結束すること等により、連結板１１の上方側に配管３を直に固定することもできる。同様に、屋根２上に縦方向に配置される配管３と側部連結板５１等を結束部材で結束すること等により、側部連結板５１の外側に配管３を直に固定することもできる。また、屋根２上に横方向に配置される配管３と後脚板１３又は前脚板１２等を結束部材で結束すること等により、後脚板１３の外側又は前脚板１２の外側に配管３を直に固定することもできる。
【００５８】
以上のように、配管固定台座４１によれば、和瓦４６上の適宜の位置に設置できるので、屋根２上に横方向、縦方向、又は斜め方向に配置される配管３を支持可能な配管支持具４又は配管３を和瓦４６上の適宜の位置に固定できるという利点がある。
【００５９】
更に、前脚板１２及び後脚板１３が、外側に配管支持具４又は配管３を固定可能であれば、屋根２上に横方向に配置される配管３を支持可能な配管支持具４又はその配管３を、連結板１１の上方側に固定する場合よりも低い位置で固定できるという利点がある。同様に、連結板１１の右側端部と左側端部の少なくともいずれか一方に既述の側部連結板５１を設けておけば、強度を向上でき、屋根２上に縦方向に配置される配管３を支持可能な配管支持具４又はその配管３を、側部連結板５１の外側でも固定できると共に、連結板１１の上方側に固定する場合よりも低い位置で固定できるという利点がある。加えて、前脚板１２及び後脚板１３を、和瓦４６上に設置された状態で面方向が鉛直方向に対して略平行となるように、連結板１１の面方向に対して後方側に傾斜させておけば、当該配管固定台座４１を和瓦４６上に設置した際に配管３をより安定した状態で固定できるという利点がある。
【産業上の利用可能性】
【００６０】
以上のように、本発明に係る配管固定台座は、建物の屋根上に設置される太陽電池パネルの配線配管、太陽熱温水器の熱媒体配管等の配管を支持可能な配管支持具又は配管を、屋根の下地上に設置された瓦上に固定するための台座として有用である。
【符号の説明】
【００６１】
１  配管固定台座
２  屋根
３  配管
４  配管支持具
５  下地
６  スレート瓦（瓦）
１１  連結板
１２  前脚板
１３  後脚板
１４  介在板
１５  引掛部
１６  突出板
２１  貫通孔
２２  突出部
４１  配管固定台座
４６  和瓦（瓦）
５１  側部連結板
【図１】
2012241870.tif 000003
【図２】
2012241870.tif 000004
【図３】
2012241870.tif 000005
【図４】
2012241870.tif 000006
【図５】
2012241870.tif 000007
【図６】
2012241870.tif 000008
【図７】
2012241870.tif 000009
【図８】
2012241870.tif 000010
【図９】
2012241870.tif 000011
【図１０】
2012241870.tif 000012
【図１１】
2012241870.tif 000013
【図１２】
2012241870.tif 000014
【図１３】
2012241870.tif 000015
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記連結板に、前記配管支持具を装着するための貫通孔を設け、
前記貫通孔の周囲に、下方側へ突出して周方向に延びかつ内方に前記配管支持具を嵌入可能な突出部を設けたことを特徴とする配管固定台座。
【請求項２】
前記前脚板及び前記後脚板が、外側に前記配管支持具又は前記配管を固定可能である請求項１に記載の配管固定台座。
【請求項３】
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記前脚板及び前記後脚板を、前記瓦上に設置された状態で面方向が鉛直方向に対して略平行となるように、前記連結板の面方向に対して後方側に傾斜させたことを特徴とする配管固定台座。
【請求項４】
前記前脚板と前記後脚板の少なくともいずれか一方に、前記配管支持具を装着するための貫通孔を設けた請求項３に記載の配管固定台座。
【請求項５】
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記前脚板と前記後脚板の少なくともいずれか一方に、前記配管支持具を装着するための貫通孔を設けたことを特徴とする配管固定台座。
【請求項６】
前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けた請求項３、４、又は５に記載の配管固定台座。
【請求項７】
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けたことを特徴とする配管固定台座。
【請求項８】
前記側部連結板に、前記配管支持具を装着するための貫通孔を設けた請求項６又は７に記載の配管固定台座。
【請求項９】
前記貫通孔の周囲に、内側へ突出して周方向に延びかつ内方に前記配管支持具を嵌入可能な突出部を設けた請求項４、５、又は８に記載の配管固定台座。
【請求項１０】
前記連結板に、前記配管支持具を装着するための貫通孔を設けた請求項３から９のいずれかに記載の配管固定台座。
【請求項１１】
前記貫通孔の周囲に、下方側へ突出して周方向に延びかつ内方に前記配管支持具を嵌入可能な突出部を設けた請求項１０に記載の配管固定台座。
【手続補正２】
【補正対象書類名】明細書
【補正対象項目名】０００８
【補正方法】変更
【補正の内容】
【０００８】
上記目的を達成するための第１の発明は、
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っｓ掛けられる引掛部と、
前記後脚板の下端部に後方側へ突出するように設けられかつ前記瓦上に載置される突出板、
を備え、
前記連結板に、前記配管支持具を装着するための貫通孔を設け、
前記貫通孔の周囲に、下方側へ突出して周方向に延びかつ内方に前記配管支持具を嵌入可能な突出部を設けたものである。
【手続補正３】
【補正対象書類名】明細書
【補正対象項目名】０００９
【補正方法】変更
【補正の内容】
【０００９】
第２の発明においては、前記前脚板及び前記後脚板が、外側に前記配管支持具又は前記配管を固定可能である。
【手続補正４】
【補正対象書類名】明細書
【補正対象項目名】００１０
【補正方法】変更
【補正の内容】
【００１０】
第３の発明は、
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記前脚板及び前記後脚板を、前記瓦上に設置された状態で面方向が鉛直方向に対して略平行となるように、前記連結板の面方向に対して後方側に傾斜させたものである。
【手続補正５】
【補正対象書類名】明細書
【補正対象項目名】００１１
【補正方法】変更
【補正の内容】
【００１１】
第４の発明は、前記前脚板と前記後脚板の少なくともいずれか一方に、前記配管支持具を装着するための貫通孔を設けたものである。
【手続補正６】
【補正対象書類名】明細書
【補正対象項目名】００１２
【補正方法】変更
【補正の内容】
【００１２】
第５の発明は、
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記前脚板と前記後脚板の少なくともいずれか一方に、前記配管支持具を装着するための貫通孔を設けたものである。
【手続補正７】
【補正対象書類名】明細書
【補正対象項目名】００１３
【補正方法】変更
【補正の内容】
【００１３】
第６の発明は、前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けたものである。
【手続補正８】
【補正対象書類名】明細書
【補正対象項目名】００１４
【補正方法】変更
【補正の内容】
【００１４】
第７の発明は、
建物の屋根上に配置される配管を支持可能な配管支持具又は前記配管を、前記屋根の下地上に設置された瓦上に固定するための台座であって、
上方側に前記配管支持具又は前記配管を固定可能な連結板と、
前記連結板の前端部及び後端部にそれぞれ下方側へ突出するように設けられた前脚板及び後脚板と、
前記前脚板の下端部に前方側へ延びるように設けられかつ前記瓦上に載置される介在板と、
前記介在板の前端部近傍に下方側へ突出するように設けられかつ前記瓦の上端部に引っ掛けられる引掛部と、
前記後脚板の下端部に後方側へ突出するように設けられかつ前記瓦上に載置される突出板、
を備え、
前記前脚板及び前記後脚板が、外側に前記配管支持具又は前記配管を固定可能であり、
前記連結板の右側端部と左側端部の少なくともいずれか一方に、下方側へ突出しかつ前記前脚板の側端部と前記後脚板の側端部を連結するように、外側に前記配管支持具又は前記配管を固定可能な側部連結板を設けたものである。
【手続補正９】
【補正対象書類名】明細書
【補正対象項目名】００１５
【補正方法】変更
【補正の内容】
【００１５】
第８の発明は、前記側部連結板に、前記配管支持具を装着するための貫通孔を設けたものである。
第９の発明は、前記貫通孔の周囲に、内側へ突出して周方向に延びかつ内方に前記配管支持具を嵌入可能な突出部を設けたものである。
【手続補正１０】
【補正対象書類名】明細書
【補正対象項目名】００１６
【補正方法】変更
【補正の内容】
【００１６】
第１０の発明は、前記連結板に、前記配管支持具を装着するための貫通孔を設けたものである。
第１１の発明は、前記貫通孔の周囲に、下方側へ突出して周方向に延びかつ内方に前記配管支持具を嵌入可能な突出部を設けたものである。
【手続補正１１】
【補正対象書類名】明細書
【補正対象項目名】００１７
【補正方法】変更
【補正の内容】
【００１７】
第１の発明によれば、瓦上の適宜の位置に設置できるので、屋根上に横方向、縦方向、又は斜め方向に配置される配管を支持可能な配管支持具又は配管を瓦上の適宜の位置に固定することができる。また、連結板の貫通孔に配管支持具を装着できるので、配管支持具を連結板に簡単に固定することができる。更に、貫通孔の周囲の突出部により、配管支持具を貫通孔に装着した場合のガタつきを防止することができる。
【手続補正１２】
【補正対象書類名】明細書
【補正対象項目名】００１８
【補正方法】変更
【補正の内容】
【００１８】
第２の発明によれば、屋根上に横方向に配置される配管を支持可能な配管支持具又はその配管を、連結板の上方側に固定する場合よりも低い位置で固定することができる。
【手続補正１３】
【補正対象書類名】明細書
【補正対象項目名】００１９
【補正方法】変更
【補正の内容】
【００１９】
第３の発明によれば、瓦上の適宜の位置に設置できるので、屋根上に横方向、縦方向、又は斜め方向に配置される配管を支持可能な配管支持具又は配管を瓦上の適宜の位置に固定することができる。また、屋根上に横方向に配置される配管を支持可能な配管支持具又はその配管を、連結板の上方側に固定する場合よりも低い位置で固定することができる。更に、瓦上に設置した際に配管をより安定した状態で固定することができる。
【手続補正１４】
【補正対象書類名】明細書
【補正対象項目名】００２０
【補正方法】変更
【補正の内容】
【００２０】
第４の発明によれば、貫通孔に配管支持具を装着できるので、配管支持具を前脚板、後脚板、又は側部連結板に簡単に固定することができる。
【手続補正１５】
【補正対象書類名】明細書
【補正対象項目名】００２１
【補正方法】変更
【補正の内容】
【００２１】
第５の発明によれば、瓦上の適宜の位置に設置できるので、屋根上に横方向、縦方向、又は斜め方向に配置される配管を支持可能な配管支持具又は配管を瓦上の適宜の位置に固定することができる。また、屋根上に横方向に配置される配管を支持可能な配管支持具又はその配管を、連結板の上方側に固定する場合よりも低い位置で固定することができる。更に、貫通孔に配管支持具を装着できるので、配管支持具を前脚板、後脚板、又は側部連結板に簡単に固定することができる。
【手続補正１６】
【補正対象書類名】明細書
【補正対象項目名】００２２
【補正方法】変更
【補正の内容】
【００２２】
第６の発明によれば、側部連結板により強度を向上でき、屋根上に縦方向に配置される配管を支持可能な配管支持具又はその配管を、側部連結板の外側でも固定できると共に、連結板の上方側に固定する場合よりも低い位置で固定することができる。
【手続補正１７】
【補正対象書類名】明細書
【補正対象項目名】００２３
【補正方法】変更
【補正の内容】
【００２３】
第７の発明によれば、瓦上の適宜の位置に設置できるので、屋根上に横方向、縦方向、又は斜め方向に配置される配管を支持可能な配管支持具又は配管を瓦上の適宜の位置に固定することができる。また、屋根上に横方向に配置される配管を支持可能な配管支持具又はその配管を、連結板の上方側に固定する場合よりも低い位置で固定することができる。更に、側部連結板により強度を向上でき、屋根上に縦方向に配置される配管を支持可能な配管支持具又はその配管を、側部連結板の外側でも固定できると共に、連結板の上方側に固定する場合よりも低い位置で固定することができる。
第８の発明によれば、貫通孔に配管支持具を装着できるので、配管支持具を前脚板、後脚板、又は側部連結板に簡単に固定することができる。
第９の発明によれば、貫通孔の周囲の突出部により、配管支持具を貫通孔に装着した場合のガタつきを防止することができる。
第１０の発明によれば、連結板の貫通孔に配管支持具を装着できるので、配管支持具を連結板に簡単に固定することができる。
第１１の発明によれば、貫通孔の周囲の突出部により、配管支持具を貫通孔に装着した場合のガタつきを防止することができる。